(57)【要約】【課題】  温度異常が発生した原因を正確に判別し、適切な処置を迅速に実行できる温度異常処理方式を提供する。【解決手段】  装置各部をマルチタスク制御するＣＰＵ（中央処理装置）１と、システムプログラムを始めＣＰＵ１の各種処理プログラムを格納するＲＯＭ２と、本装置がデータを一時格納するＲＡＭ３と、ＣＰＵ１の処理を支援するシステム周辺回路部４と、装置内部の雰囲気温度および電子デバイスなどに直接接触して温度を測定するサーミスタ等からなる複数の温度センサ５と、この温度センサ５からの出力信号に基づいて装置内の温度を常時監視し、予め設定された規定温度を超えると検出信号を出力する温度監視回路６と、本装置の各部に電源を供給する電源ユニット７と、本装置内を冷却するための冷却機構８とから構成され、温度監視回路６は装置内部の温度上昇を下げる施策を順次切り替える。【選択図】      図１
2005215794.tif 000002
【特許請求の範囲】
【請求項１】
冷却手段を備えシステムクロックに同期して動作する装置内の温度異常を処理するための温度異常処理方法であって、
前記装置の冷却用空気の取り入れ口近傍の雰囲気温度、前記装置の装置内温度を検出し、その温度測定結果に基づいて前記冷却手段の動作および前記システムクロックの周波数を制御することを特徴とする温度異常処理方法。
【請求項２】
冷却手段を備えシステムクロックに同期して動作する装置内の温度異常を処理するための温度異常処理方法であって、
前記装置の装置内温度および前記装置に搭載された電子デバイスの温度をそれぞれ検出し、その温度測定結果に基づいて前記冷却手段の動作および前記システムクロックの周波数を制御することを特徴とする温度異常処理方法。
【請求項３】
前記冷却手段が、冷却ファンであることを特徴とする請求項１または２に記載の温度異常処理方法。
【請求項４】
冷却ファンを備えシステムクロックに同期して動作する装置内の温度異常を処理するための温度異常処理方法であって、
前記装置の冷却用空気の取り入れ口近傍の雰囲気温度、前記装置の装置内温度および前記装置に搭載された電子デバイスの温度をそれぞれ検出し、その温度測定結果に基づいて前記冷却ファンの回転数および前記システムクロックの周波数を制御することを特徴とする温度異常処理方法。
【請求項５】
請求項４記載の温度異常処理方法において、前記雰囲気温度の上昇を検出したとき、
前記空冷ファンを高速回転させるステップと、
前記雰囲気温度が低下し、ある規定値に戻った場合前記空冷ファンの回転を通常回転に戻すステップと、を含むことを特徴とする温度異常処理方法。
【請求項６】
請求項５記載の温度異常処理方法において、前記空冷ファンを高速回転させたにもかかわらず温度上昇が続くときは、
前記システムクロックの周波数を低下させるステップと、
前記装置内温度が低下し、ある規定値に戻ると前記システムクロックの周波数および前記空冷ファンの回転数を通常に戻すステップと、を含むことを特徴とする温度異常処理方法。
【請求項７】
請求項６記載の温度異常処理方法において、前記システムクロックの周波数を低下させた状態にもかかわらず前記装置内温度が上昇しているときは、前記装置を停止させるステップを含むことを特徴とする温度異常処理方法。
【請求項８】
請求項４記載の温度異常処理方法において、前記装置内温度が雰囲気温度よりも先に上昇したとき、
前記空冷用ファンを高速回転させるステップと、
高速回転後、前記装置内温度が低下し、ある規定値に戻ると前記空冷ファンを通常回転に戻すステップと、を含むことを特徴とする温度異常処理方法。
【請求項９】
請求項８記載の温度異常処理方法において、前記空冷ファンを高速回転させたにもかかわらずさらに温度上昇が続くときは、
前記システムクロックの周波数を低下させるステップと、
前記装置内温度が規定値でなければ前記システムクロックの周波数を低下させた状態で運用を続けるステップと、
周波数の低下後、前記装置内温度が低下し、ある規定値に戻ると前記システムクロックの周波数および前記空冷ファンの回転数を通常に戻すステップと、を含むことを特徴とする温度異常処理方法。
【請求項１０】
請求項９記載の温度異常処理方法において、前記システムクロックの周波数を低下させた状態にもかかわらず前記装置内温度がさらに上昇しているときは前記データ処理装置を停止させるステップを含むことを特徴とする温度異常処理方法。
【請求項１１】
請求項４記載の温度異常処理方法において、前記電子デバイスの温度が雰囲気温度よりも先に上昇したときは、
前記空冷ファンを高速回転させるステップと、
前記データ処理装置を停止させるステップと、を含むことを特徴とする温度異常処理方法。
【請求項１２】
冷却ファンを備えシステムクロックに同期して動作する装置内の温度異常を処理するための温度異常処理方法であって、
前記装置内部の冷却用空気の取り入れ口近傍の雰囲気温度、前記装置内部の装置内温度および前記装置に搭載された電子デバイスを冷却する液体冷却システムの温度をそれぞれ検出し、その温度測定結果に基づいて前記冷却ファンの回転数および前記システムクロックの周波数を制御することを特徴とする温度異常処理方法。
【請求項１３】
請求項１２記載の温度異常処理方法において、前記電子デバイス液体冷却システムの温度が雰囲気温度よりも先に上昇したときは、
前記空冷ファンを高速回転させるステップと、
前記装置を停止させるステップと、を含むことを特徴とする温度異常処理方法。
【請求項１４】
請求項１から１３のいずれか１項に記載の温度異常処理方法において、前記装置がデータ処理装置でなることを特徴とする温度異常処理方法。
【請求項１５】
システムクロックに同期して動作する装置であって、装置内部を冷却する冷却手段と、前記装置内の温度を検出する複数の温度センサと、前記装置内の各部に電源を供給する電源ユニットと、前記複数の温度センサからの測定データの変化に基づいて前記システムクロックの周波数、前記冷却手段の動作および前記電源ユニットの動作を制御する温度監視回路と、を備えることを特徴とする温度異常処理機能を有するデータ処理装置。
【請求項１６】
前記冷却手段が、冷却ファンであることを特徴とする請求項１５に記載の温度異常処理機能を有するデータ処理装置。
【請求項１７】
前記温度監視回路は、前記複数の温度センサからの測定データに基づいて温度変化を監視する第１の手段と、前記測定データに基づいて前記電源ユニットの動作を停止させる第２の手段と、を備えることを特徴とする請求項１５または１６に記載の温度異常処理機能を有するデータ処理装置。
【発明の詳細な説明】
【技術分野】
【０００１】
本発明は、温度異常処理方法および温度異常処理機能を有するデータ処理装置に関し、特に、温度異常が発生した原因を正確に判別し、適切な処置を迅速に実行できる温度異常処理方法および温度異常処理機能を有するデータ処理装置に関する。
【背景技術】
【０００２】
従来、特に信頼性を必要とされるデータ処理装置などの装置等では、温度異常処理に対しては様々な施策が行われている。一般的には装置の温度異常検出回路は、装置内部に設けられた温度センサ近傍の雰囲気温度を検出し、異常温度を検出した場合には、適切な処置を行っている。
【０００３】
例えば、システムクロックに同期して動作する装置における従来の処置方法としては、装置の温度異常を検出した場合に、システムクロックの周波数を下げて電子デバイスの発熱量を抑えるという方法が提案されている。この方法を図５に示す。図５において、温度監視回路（図示せず）には、装置内に設けられた温度センサ１１から温度測定データが送られてくる。そうすると、システムクロック発生器１３は、周波数制御プログラム１２により現在の設定よりもシステムクロックの周波数を一段階低下させる。また、これ以上システムクロックの周波数を低下できない状態になり、かつ装置内の温度が依然基準温度を下回らないときは、温度監視回路は、シャットダウンプログラム１４に対してシステム断の要求を発行する。
【０００４】
これにより、シャットダウンプログラム１４は、稼働中の全プログラムを安全に中断させる終了処理（システム断処理）を行った後に、電源ユニット１５に対して電源断を実行するというものである（例えば、特開平０８−３２８６８８号公報を参照。）。
【０００５】
また、別の従来例として、筐体の内部に熱発生の要因となる熱源要素を収納して構成される配電盤の所定部分に所定部分の温度分布を測定する局所温度センサ群が複数個設置されている。さらに、この配電盤付近配電盤の周囲温度を測定する周囲温度用センサが設置されている。
【０００６】
そして、これらの局所温度センサ群および周囲温度用センサによりそれぞれ測定された温度に基づいて配電盤の所定部分の温度上昇に関するデータを算出する。また、温度上昇に関するデータと正常稼働時の配電盤の所定部分の温度上昇に関するデータとの差データを算出し、かつこの差データに対してウォルシュ変換を行なって相関係数を求める。
【０００７】
そして、この相関係数の変化値の正当性を確認して異常検出を行い、配電盤の通電機能を監視するというものがある（例えば、特開平１１−２６２１１７号公報を参照。）。
【０００８】
【特許文献１】特開平０８−３２８６８８号公報
【特許文献２】特開平１１−２６２１１７号公報
【発明の開示】
【発明が解決しようとする課題】
【０００９】
しかしながら、装置等で温度異常が生じた場合、その原因が装置の外部にあるのか、また、内部のどの個所にあるかによってそれぞれ対処の仕方が異なってくる。上述した先行技術の例のように、電子デバイスに起因する温度上昇は、システムクロックを下げても温度上昇を抑えることはできず、直ちに停止処置を施す必要がある場合においても、クロックの調整など延命処置を取り続けてしまい、最終的にファイル破壊などに至るという欠点がある。
【００１０】
本発明の目的は、かかる課題に鑑みてなされたものであって、温度センスの方式にとらわれることなく、装置に温度異常が発生した原因を正確に判別するとともに、その原因に見合った適切な処置を迅速に実行できる温度異常処理方法および温度異常処理機能を有するデータ処理装置を提供することにある。
【課題を解決するための手段】
【００１１】
本発明の温度異常処理方法は、冷却手段を備えシステムクロックに同期して動作する装置内の温度異常を処理するための温度異常処理方法であって、前記装置の冷却用空気の取り入れ口近傍の雰囲気温度、前記装置の装置内温度を検出し、その温度測定結果に基づいて前記冷却手段の動作および前記システムクロックの周波数を制御することを特徴とする。
【００１２】
冷却手段を備えシステムクロックに同期して動作する装置内の温度異常を処理するための温度異常処理方法であって、前記装置の装置内温度および前記装置に搭載された電子デバイスの温度をそれぞれ検出し、その温度測定結果に基づいて前記冷却手段の動作および前記システムクロックの周波数を制御することを特徴とし、また、前記冷却手段が、冷却ファンであることを特徴とする。
【００１３】
冷却ファンを備えシステムクロックに同期して動作する装置内の温度異常を処理するための温度異常処理方法であって、前記装置の冷却用空気の取り入れ口近傍の雰囲気温度、前記装置の装置内温度および前記装置に搭載された電子デバイスの温度をそれぞれ検出し、その温度測定結果に基づいて前記冷却ファンの回転数および前記システムクロックの周波数を制御することを特徴とする。
【００１４】
前記雰囲気温度の上昇を検出したとき、前記空冷ファンを高速回転させるステップと、前記雰囲気温度が低下し、ある規定値に戻った場合前記空冷ファンの回転を通常回転に戻すステップと、を含むことを特徴とする。
【００１５】
前記空冷ファンを高速回転させたにもかかわらず温度上昇が続くときは、前記システムクロックの周波数を低下させるステップと、前記装置内温度が低下し、ある規定値に戻ると前記システムクロックの周波数および前記空冷ファンの回転数を通常に戻すステップと、を含むことを特徴とする。
【００１６】
前記システムクロックの周波数を低下させた状態にもかかわらず前記装置内温度が上昇しているときは、前記装置を停止させるステップを含むことを特徴とする。
【００１７】
前記装置内温度が雰囲気温度よりも先に上昇したとき、前記空冷用ファンを高速回転させるステップと、高速回転後、前記装置内温度が低下し、ある規定値に戻ると前記空冷ファンを通常回転に戻すステップと、を含むことを特徴とする。
【００１８】
前記空冷ファンを高速回転させたにもかかわらずさらに温度上昇が続くときは、前記システムクロックの周波数を低下させるステップと、前記装置内温度が規定値でなければ前記システムクロックの周波数を低下させた状態で運用を続けるステップと、周波数の低下後、前記装置内温度が低下し、ある規定値に戻ると前記システムクロックの周波数および前記空冷ファンの回転数を通常に戻すステップと、を含むことを特徴とする。
【００１９】
前記システムクロックの周波数を低下させた状態にもかかわらず前記装置内温度がさらに上昇しているときは前記データ処理装置を停止させるステップを含むことを特徴とする。
【００２０】
前記電子デバイスの温度が雰囲気温度よりも先に上昇したときは、前記空冷ファンを高速回転させるステップと、前記データ処理装置を停止させるステップと、を含むことを特徴とする。
【００２１】
冷却ファンを備えシステムクロックに同期して動作する装置内の温度異常を処理するための温度異常処理方法であって、前記装置内部の冷却用空気の取り入れ口近傍の雰囲気温度、前記装置内部の装置内温度および前記装置に搭載された電子デバイスを冷却する液体冷却システムの温度をそれぞれ検出し、その温度測定結果に基づいて前記冷却ファンの回転数および前記システムクロックの周波数を制御することを特徴とする。
【００２２】
前記電子デバイス液体冷却システムの温度が雰囲気温度よりも先に上昇したときは、前記空冷ファンを高速回転させるステップと、前記装置を停止させるステップと、を含むことを特徴とする。
【００２３】
これらの温度異常処理方法において、前記装置がデータ処理装置でなることを特徴とする。
【００２４】
システムクロックに同期して動作する装置であって、装置内部を冷却する冷却手段と、前記装置内の温度を検出する複数の温度センサと、前記装置内の各部に電源を供給する電源ユニットと、前記複数の温度センサからの測定データの変化に基づいて前記システムクロックの周波数、前記冷却手段の動作および前記電源ユニットの動作を制御する温度監視回路と、を備えることを特徴とし、また、前記冷却手段が、冷却ファンであることを特徴とする。
【００２５】
前記温度監視回路は、前記複数の温度センサからの測定データに基づいて温度変化を監視する第１の手段と、前記測定データに基づいて前記電源ユニットの動作を停止させる第２の手段と、を備えることを特徴とする。
【発明の効果】
【００２６】
本発明の温度異常処理方法および装置は、複数の箇所の温度変化を検出し、装置内部の温度上昇を判断することにより、適切な温度異常処理を行うことができ、ファイル破壊やデータ消失、復旧不可能な状態などに陥るのを未然に防止できるという効果がある。
【発明を実施するための最良の形態】
【００２７】
次に、本発明を実施するための最良の形態について図面を参照して詳細に説明する。図１は、本発明の一実施の形態を実現するブロック図であって、温度異常処理機能を有するデータ処理装置の構成を示す。また、図２は、本発明のソフトウェアを含めた電気的構成を示すブロック図である。
【００２８】
図１および図２を参照すると、本実施の形態であるシステムクロックに同期して動作するデータ処理装置などの装置は、装置各部をマルチタスク制御するＣＰＵ（中央処理装置）１と、システムプログラムを始めＣＰＵ１の各種処理プログラム（図２に示す温度上昇比較プログラム６ａやシャットダウンプログラム６ｂなど）を格納するＲＯＭ２と、本装置がデータを一時格納するＲＡＭ３と、本装置が動作するためのフリップフロップ回路，論理積回路，および計数回路など多数の論理回路から構成されＣＰＵ１の処理を支援するシステム周辺回路部４と、装置内部の雰囲気温度および電子デバイス（回路）などに直接接触して温度を測定するサーミスタ等からなる複数の温度センサ５と、この温度センサ５からの出力信号に基づいて装置内の温度を常時監視し予め設定された規定温度を超えると検出信号を出力する温度監視回路６と、本装置の各部に電源を供給する電源ユニット７と、本装置内を冷却するための冷却機構８とから構成されている。
【００２９】
温度監視回路６は、どの部分の温度が最初に温度上昇を始めたかという事象を元に、装置の安定動作をはかるための処理を決定する。温度上昇を始めた個所により、温度異常となった原因を判定することにより、装置が不安定な動作に陥る前に、処理中のファイル破壊やデータの消失を防止することができる。
【００３０】
通常、データ処理装置の冷却媒体としては、空気を強制循環させて装置内部を冷却し、温度センサで装置の主要部が最適な温度に維持されているかを監視するのが通例である。この温度センサは、装置の基盤等に直接実装され、雰囲気温度を測定する場合と、最近のＣＰＵにみられるように、きめ細かな温度管理が必要な電子デバイスには温度センサを内蔵し、温度測定データを外部に送信するものもある。
【００３１】
本実施の形態による構成では、装置の温度センサ５として、冷却用空気の取り入れ口に設置された雰囲気温度検出用温度センサ５ａと、装置内部に取り付けられた装置内温度検出用温度センサ５ｂと、動作温度に敏感な電子デバイス上に取り付けられた電子デバイス温度検出用温度センサ５ｃとが設けられている。
【００３２】
そして、温度監視回路６では、温度上昇比較プログラム６ａが、雰囲気温度検出用温度センサ５ａ，装置内温度検出用温度センサ５ｂ、および電子デバイス温度検出用温度センサ５ｃから送られてくる測定データに基づいて、装置内の温度変化を常時監視し、温度上昇等の異常があるときは、直ちに適切な処理を実行する。
【００３３】
温度監視開始後、例えば、空冷用の空気の温度が空調機の故障などで上昇すると、まず、最初に温度変化が現れる。そうすると、温度上昇比較プログラム６ａによって、雰囲気を測定している雰囲気温度検出用温度センサ５ａが最初に温度上昇を始めたことを検出する。この場合は、温度上昇の原因が装置内部にはないので、冷却機構８の空冷ファン（図示せず）の高速回転を試みる。これにより、風量を増加させ温度上昇を抑える動作を実施する。
【００３４】
次に、冷却機構８の空冷ファンの高速回転を実施しても温度上昇が止まらない場合、電子デバイスのクロック周波数を下げて発熱量を抑えることを試みる。それでも温度上昇が止まらない場合は、装置を安全に停止させるためのシャットダウンプログラム６ｂを起動し、電源ユニット７に電源オフを命令する。
【００３５】
また、装置内に設置した装置内温度検出用温度センサ５ｂの値が、雰囲気温度を検出している雰囲気温度検出用温度センサ５ａよりも先に上昇している場合は、装置内部の異常が考えられるため、シャットダウンプログラム６ｂを直ちに起動する。また、空冷用の空気を取り込む取り入れ口にごみなどが詰まってしまい、十分な空気が確保できない場合なども考えられる。このような場合も、空冷用ファンの高速回転や、クロックダウンを状況に応じて順次施すことにより装置の安定動作をはかる。
【００３６】
さらに、電子デバイス上に取り付けられた電子デバイス温度検出用温度センサ５ｃの値が、雰囲気温度を検出している雰囲気温度検出用温度センサ５ａや、装置内温度を検出している装置内温度検出用センサ５ｂよりも先に上昇している場合は、その電子デバイスの故障が考えられる。このような場合は、直ちに装置を停止させなければファイルの破壊やデータの消失、もしくは復旧不可能な事態を招く恐れがある。従って、空冷ファンの高速回転を実施しながら、直ちに装置を停止するために、シャットダウンプログラム６ｂを起動する。
【００３７】
このように、装置内部や雰囲気温度が上昇した場合でも、その原因によって安定した動作を確保するための対処の方法が複数存在する。なお、図１の冷却機構８については、当業者にとってよく知られた技術であり、また、本発明とは直接関係しないので説明を省略する。
【００３８】
次に、本発明の実施形態の動作について図面を参照して詳細に説明する。図３は、本実施形態の動作の流れを示すフローチャートである。
【００３９】
図２および図３を参照すると、まず、システムクロックに同期して動作するデータ処理装置は、装置内部および電子デバイスの温度監視が開始される（ステップ１）。
【００４０】
次に、設置場所の空調システムの故障などで気温が上昇した仮定すると、温度上昇が観測される（ステップ２）。観測しているどのセンサの温度上昇が最初に始まったかを比較する（ステップ３）。
【００４１】
ここで、雰囲気温度検出用温度センサ５ａが最初に温度上昇を検出した場合；
まず、最初に雰囲気温度検出用温度センサ５ａの上昇を検出すると、冷却機構の空冷ファンを高速回転させて風量を増加させ、温度上昇を抑える（ステップ５）。
【００４２】
この処置で温度上昇が止まった場合（ステップ６）、温度が初期の規定値に戻っているか否かを調べ（ステップ１１）、戻っていれば空冷ファンの回転を通常回転に戻し（ステップ１２）、再び温度変化の比較に戻る。また、戻っていなければ空冷ファンの高速回転を維持し（ステップ５）、温度の変化を監視する。
【００４３】
次に、空冷ファンを高速回転させたにもかかわらず、まだ温度上昇が続く場合は、システムクロックをダウンし（ステップ７）、ＣＰＵなどの発熱を抑える。この処置で温度上昇が止まった場合は、装置内温度が初期の規定値に戻っているか否かを確認し（ステップ９）、戻っていなければ引き続きクロックダウンの状態で運用を続ける。
【００４４】
検出温度が下って規定値に戻ったところで、クロックを通常に戻す（ステップ１０）。温度が規定値になれば、空冷ファンの回転数も通常に戻し（ステップ１２）、再び温度変化の比較に戻る。また、クロックダウンを続けているにもかかわらず、装置内部の温度が上昇している場合は、発熱を抑えることができないので、シャットダウンプログラムの起動し（ステップ１４）、装置を停止させる。
【００４５】
続いて、装置内部に取り付けられた装置内温度検出用温度センサ５ｂの値が雰囲気温度よりも先に上昇した場合;
この場合も空冷用ファンを高速回転して風量を増加させ（ステップ５）、装置内部の温度を冷やす。そして、内部温度がさらに上昇しているか否か（ステップ６）を確認し、温度上昇が止まった場合、温度が初期の規定値に戻っているか否かを調べ（ステップ１１）、戻っていれば空冷ファンの回転を通常回転に戻し（ステップ１２）、再び温度変化の比較に戻る（ステップ２）。
【００４６】
また、空冷ファンを高速回転させたにもかかわらず、まだ温度上昇が続く場合は、システムクロックをダウンさせ、ＣＰＵなどの発熱を抑える（ステップ７）。この処置で温度上昇が止まった場合、装置内温度が初期の規定値に戻っているか否かを確認し（ステップ９）、戻っていなければ引き続きクロックダウンの状態で運用を続ける。やがて検出温度が下り、装置内温度が規定値に戻ったところで、クロックを通常に戻す（ステップ１０）。
【００４７】
温度が規定値になれば、空冷ファンの回転数も通常に戻し（ステップ１２）、再び温度変化の比較に戻る。また、クロックダウンを続けているにもかかわらず、装置内部の温度が上昇している場合は、発熱を抑えることができないので、シャットダウンプログラムの起動を実施し（ステップ１４）、装置を停止する。
【００４８】
次に、装置の電子デバイスに内蔵された電子デバイス検出用温度センサ５ｃの値が雰囲気温度よりも先に上昇した場合；
これは温度異常の原因が電子デバイスにあることを示すので、空冷ファンを高速回転（ステップ１３）するとともに、直ちにシャットダウンプログラムなどを起動し（ステップ１４）、処理中のファイルの破壊などを起こさないように直ちに停止処置をとる。クロックスピードを低下させても、電子デバイスに問題がある可能性が高いので、いずれ装置が復旧不可能な状態に陥ることになるため、クロックダウンの処置はとらない。
【００４９】
次に、本発明の別の実施形態について説明する。図４は、本発明の別の実施形態であるソフトウェアを含めた電気的構成を示すブロック図である。
【００５０】
図４を参照すると、本発明の別の実施形態の基本的構成は、前述した図２に示す実施形態と同様であるが、本実施形態では、電子デバイスの冷却機構に液体冷却方式（以下、液冷システムという）を採用したところが前例の場合と異なっている。
【００５１】
装置の電子デバイスが液冷システムを採用している場合、電子デバイスに内蔵されている温度センサは、電子デバイスが温度上昇を始めても液冷システムによって冷却されているので温度上昇が表れにくい。すなわち、電子デバイスに内蔵された温度センサの値では状況を反映しにくくなる。
【００５２】
このため、電子デバイスに内蔵された温度センサを使用せず、電子デバイスの液冷システムの温度を検出することとする。具体的には、図２に示す電子デバイス温度検出用温度センサ５ｃに代えて、図４に示すように、液冷システムの温度を検出する電子デバイス液冷システム温度検出用温度センサ５ｄを設ける。
【００５３】
このようにして、監視する対象を最適なものに変えて、擬似的に温度センサを内蔵した状態を作り出す。そして、この電子デバイス液冷システム温度検出用温度センサ５ｄが装置内部の他の温度センサよりも先に上昇を始めている場合は、電子デバイスの故障が想定されるので、直ちに装置を停止するべく処置を施す。
【産業上の利用可能性】
【００５４】
本発明は、具体的な実施例としてデータ処理装置を例に挙げて説明したが、本発明の温度異常処理方法は、これ以外にも温度依存性の高い装置や精密機器等にも広く利用することができる。
【図面の簡単な説明】
【００５５】
【図１】本発明の一実施の形態を実現するブロック図である。
【図２】本発明のソフトウェアを含めた電気的構成を示すブロック図である。
【図３】本実施の形態の動作の流れを示すフローチャートである。
【図４】本発明の別の実施形態であるソフトウェアを含めた電気的構成を示すブロック図である。
【図５】従来の温度異常処理方式の一例を示すブロック図である。
【符号の説明】
【００５６】
１    ＣＰＵ
２    ＲＯＭ
３    ＲＡＭ
４    システム周辺回路部
５，１１    温度センサ
５ａ    雰囲気温度検出用温度センサ
５ｂ    装置内温度検出用温度センサ
５ｃ    電子デバイス温度検出用温度センサ
５ｄ    電子デバイス液冷システム温度検出用温度センサ
６    温度監視回路
６ａ    温度上昇比較プログラム
６ｂ，１４    シャットダウンプログラム
７，１５    電源ユニット
８    冷却機構
１２    周波数制御プログラム
１３    システムクロック発生器
【図１】
2005215794.tif 000003
【図２】
2005215794.tif 000004
【図３】
2005215794.tif 000005
【図４】
2005215794.tif 000006
【図５】
2005215794.tif 000007